(57)【要約】【課題】テレビ放送の出力が中断されても、その中断が解除された際には、中断個所の少し前から放送内容を再生できるようにする。【解決手段】ＣＰＵ1は、テレビ受信部１２からの放送内容の出力中に、出力中断が指示された際には、つまり、表示パネル８Ａを開から閉に変更された際あるいは通話着信を検出した際には、受信した放送内容の出力を一時停止すると共に、受信したテレビ放送の内容を録画部１８に引き続いて逐次記録し、この出力中断が解除された際には、この中断個所から５秒分遡った個所を再生開始位置とし、この位置から放送内容を順次読み出して再生出力する。【選択図】  図１
2006339932.tif 000002
【特許請求の範囲】
【請求項１】
テレビ放送を受信して出力するテレビ機能を備えた携帯端末装置であって、
受信したテレビ放送の内容を逐次記録する放送記録手段と、
テレビ放送の出力中断が指示された際に、放送内容の出力を一時停止する中断手段と、
前記出力中断が解除された際に、前記放送記録手段によって記録されている放送内容のうち、当該中断個所から所定時間分遡った個所を再生開始位置とし、この位置から放送内容を順次読み出して再生出力する放送再生手段と、
を具備したことを特徴とするテレビ機能付き携帯端末装置。
【請求項２】
前記放送記録手段によって記録された記録内容のアドレスを指定するアドレス位置として、放送内容を逐次記録する毎に更新される記録位置と前記所定時間分の差をもって記録位置に追随しながら更新される再生位置とを有し、前記テレビ放送の出力中断が指示された際には、中断指示された位置に前記再生位置を固定したまま前記記録位置を放送内容の逐次記録に応じて更新し、前記出力中断が解除された際には、前記再生位置を開始位置として再生動作を実行する、
ようにしたことを特徴とする請求項1記載のテレビ機能付き携帯端末装置。
【請求項３】
前記出力中断の解除に応答して再生動作を開始した後、前記再生位置と記録位置とを比較し、前記再生位置が記録位置に追い着いたか否かを判別し、再生位置が記録位置に追い着いた際には、再生動作に代わって受信した放送内容を逐次出力する動作に切り換える、
ようにしたことを特徴とする請求項２記載のテレビ機能付き携帯端末装置。
【請求項４】
表示パネル部の開閉状態として表示パネル部を見ることができる開の状態と表示パネル部が覆い隠される閉の状態を検出する検出手段を設け、
テレビ放送を受信して出力している放送出力中にあって前記検出手段によって表示パネル部が開の状態から閉の状態に変化したことが検出された際には、前記放送内容の出力中断を指示し、表示パネル部が閉の状態から開の状態に変化したことが検出された際には、前記出力中断の解除を指示する、
ようにしたことを特徴とする請求項１記載のテレビ機能付き携帯端末装置。
【請求項５】
前記再生開始位置を特定するための所定時間をユーザ操作によって任意に設定する、
ようにしたことを特徴とする請求項１記載のテレビ機能付き携帯端末装置。
【請求項６】
テレビ放送を受信して出力するテレビ機能を備えた携帯端末装置であって、
テレビ放送の内容を表示する表示パネル部の開閉状態として、表示パネル部を見ることができる開の状態と表示パネル部が覆い隠される閉の状態を検出する検出手段と、
テレビ放送を受信して出力している放送出力中にあって前記検出手段によって表示パネル部が開の状態から閉の状態に変化したことが検出された際に、受信した放送内容の出力を停止する出力停止手段と、
この出力停止手段によって放送出力が停止された際に、それ以降に受信した放送内容を逐次記録する放送記録手段と、
放送記録中にあって前記検出手段によって表示パネル部が閉の状態から開の状態に変化したことが検出された際には、前記放送記録手段によって記録された放送内容を再生出力する放送再生手段と、
を具備したことを特徴とするテレビ機能付き携帯端末装置。
【請求項７】
コンピュータに対して、
受信したテレビ放送の内容を逐次記録する機能と、
テレビ放送の出力中断が指示された際に、受信した放送内容の出力を一時停止する機能と、
前記出力中断が解除された際に、前記記録されている放送内容のうち、当該中断個所から所定時間分遡った個所を再生開始位置とし、この位置から放送内容を順次読み出して再生出力する機能と、
を実現させるためのプログラム。
【請求項８】
コンピュータに対して、
テレビ放送の内容を表示する表示パネル部の開閉状態として、表示パネル部を見ることができる開の状態と表示パネル部が覆い隠される閉の状態を検出する機能と、
テレビ放送を受信して出力している放送出力中にあって前記表示パネル部が開の状態から閉の状態に変化したことが検出された際に、受信した放送内容の出力を停止する機能と、
この出力停止以降に受信した放送内容を逐次記録する機能と、
放送記録中にあって前記表示パネル部が閉の状態から開の状態に変化したことが検出された際には、前記記録されている放送内容を再生出力する機能と、
を実現させるためのプログラム。
【発明の詳細な説明】
【技術分野】
【０００１】
この発明は、テレビ放送を受信して出力するテレビ機能を備えた携帯端末装置及びプログラムに関する。
【背景技術】
【０００２】
近年、テレビ放送を受信して希望するチャンネルの番組を視聴可能なテレビ機能を備えた携帯電話装置が普及し始めている。このテレビ機能付き携帯電話装置では、放送内容を録画することもでき、例えば、テレビ視聴中に電話着信があった際にテレビ録画を開始し、通話終了後に追っかけ再生を行うようにした技術が知られている（特許文献１参照）。
【特許文献１】特開２００３−１１１００４号公報
【発明の開示】
【発明が解決しようとする課題】
【０００３】
しかしながら、上述した技術では、通話するためにテレビ放送の視聴を中断した場合、録画を開始するのはその中断した時点以降の放送内容からであり、通話終了後にその放送内容を再生したとしても、視聴内容が中断前後で分断され、中断前に視聴した内容との繋がりが悪くなるという問題があった。
一方、着信時あるいは通話時とは関係なく、突然の来客などのようにユーザの都合で視聴を中断せざるを得ない場合もある。このような場合、中断中の放送内容を後で確認するために、区切りの良い個所となった時点で録画ボタンなどを操作して録画を開始すればよいが、特別な操作を必要とするほか、区切り個所まで録画開始を待つ必要があった。
【０００４】
第1の発明の課題は、テレビ放送の出力が中断されても、その中断が解除された際には、中断個所の少し前から放送内容を再生できるようにすることである。
第２の発明の課題は、表示パネル部を開閉させるだけで、受信したテレビ放送の内容を逐次記録したり、この記録内容を再生出力できるようにすることである。
【課題を解決するための手段】
【０００５】
請求項１記載の発明（第１の発明）は、テレビ放送を受信して出力するテレビ機能を備えた携帯端末装置であって、受信したテレビ放送の内容を逐次記録する放送記録手段と、テレビ放送の出力中断が指示された際に、受信した放送内容の出力を一時停止する中断手段と、前記出力中断が解除された際に、前記放送記録手段によって記録されている放送内容のうち、当該中断個所から所定時間分遡った個所を再生開始位置とし、この位置から放送内容を順次読み出して再生出力する放送再生手段とを具備したことを特徴とする。
更に、コンピュータに対して、上述した請求項１記載の発明に示した主要機能を実現させるためのプログラムを提供する（請求項７記載の発明）。
なお、放送内容は、音声情報付き映像情報に限らず、字幕付き映像情報であってもよい。また、出力中断の指示は、自動／手動を問わず、任意であり、また、所定時間は、例えば、３秒〜１０秒程度の短い時間であるが、その長さは任意である。
【０００６】
なお、請求項１記載の発明は次のようなものであってもよい。
前記放送記録手段によって記録された記録内容のアドレスを指定するアドレス位置として、放送内容を逐次記録する毎に更新される記録位置と前記所定時間分の差をもって記録位置に追随しながら更新される再生位置とを有し、前記テレビ放送の出力中断が指示された際には、中断指示された位置に前記再生位置を固定したまま前記記録位置を放送内容の逐次記録に応じて更新し、前記出力中断が解除された際には、前記再生位置を開始位置として再生動作を実行する（請求項２記載の発明）。
【０００７】
前記出力中断の解除に応答して再生動作を開始した後、前記再生位置と記録位置とを比較し、前記再生位置が記録位置に追い着いたか否かを判別し、再生位置が記録位置に追い着いた際には、再生動作に代わって受信した放送内容を逐次出力する動作に切り換える（請求項３記載の発明）。
【０００８】
表示パネル部の開閉状態として表示パネル部を見ることができる開の状態と表示パネル部が覆い隠される閉の状態を検出する検出手段を設け、テレビ放送を受信して出力している放送出力中にあって前記検出手段によって表示パネル部が開の状態から閉の状態に変化したことが検出された際には、前記放送内容の出力中断を指示し、表示パネル部が閉の状態から開の状態に変化したことが検出された際には、前記出力中断の解除を指示する（請求項４記載の発明）。
【０００９】
前記再生開始位置を特定するための所定時間をユーザ操作によって任意に設定する（請求項５記載の発明）。
【００１０】
請求項６記載の発明（第２の発明）は、テレビ放送を受信して出力するテレビ機能を備えた携帯端末装置であって、テレビ放送の内容を表示する表示パネル部の開閉状態として、表示パネル部を見ることができる開の状態と表示パネル部が覆い隠される閉の状態を検出する検出手段と、テレビ放送を受信して出力している放送出力中にあって前記検出手段によって表示パネル部が開の状態から閉の状態に変化したことが検出された際に、受信した放送内容の出力を停止する出力停止手段と、この出力停止手段によって放送出力が停止された際に、それ以降に受信した放送内容を逐次記録する放送記録手段と、放送記録中にあって前記検出手段によって表示パネル部が閉の状態から開の状態に変化したことが検出された際には、前記放送記録手段によって記録された放送内容を再生出力する放送再生手段とを具備したことを特徴とする。
更に、コンピュータに対して、上述した請求項６記載の発明に示した主要機能を実現させるためのプログラムを提供する（請求項８記載の発明）。
【発明の効果】
【００１１】
請求項１記載の発明（第１の発明）によれば、テレビ放送の出力中断が指示された際には、受信した放送内容の出力を一時停止すると共に、受信したテレビ放送の内容を引き続いて逐次記録し、この出力中断が解除された際には、この中断個所から所定時間分遡った個所を再生開始位置とし、この位置から放送内容を順次読み出して再生出力するようにしたから、テレビ放送の出力中はその放送内容を逐次記録するほか、テレビ放送の出力が中断されても中断中の放送内容を引き続いて記録することができ、中断が解除された際には、中断個所の少し前から放送内容を再生することができ、中断前の放送内容を確認しながら中断中の放送内容を順次視聴することが可能となる。
【００１２】
請求項２記載の発明によれば、上述した請求項１記載の発明と同様の効果を有するほか、記録内容のアドレスを指定するアドレス位置として、放送内容を逐次記録する毎に更新される記録位置と所定時間分の差をもって記録位置に追随しながら更新される再生位置とを有し、テレビ放送の出力中断が指示された際には、中断指示された位置に再生位置を固定したまま記録位置を放送内容の逐次記録に応じて更新し、出力中断が解除された際には、再生位置を開始位置として再生動作を行うようにしたから、簡単なアドレス管理によって放送内容の記録、再生を制御することができる。この場合、出力中断中を除き、所定時間（例えば、５秒）分の最新の放送内容を録画するだけでよく、録画時間を短くすることができる。
【００１３】
請求項３記載の発明によれば、上述した請求項１記載の発明と同様の効果を有するほか、出力中断の解除に応答して再生動作を開始した後、再生位置と記録位置とを比較し、再生位置が記録位置に追い着いたか否かを判別し、例えば、早送り再生あるいはコマーシャルスキップ再生などによって再生位置が記録位置に追い着いた際には、再生動作に代わって受信した放送内容を逐次出力する動作に切り換えるようにしたから、放送内容の連続性を損なうことなく、円滑な再生が可能となる。
【００１４】
請求項４記載の発明によれば、上述した請求項１記載の発明と同様の効果を有するほか、テレビ放送を受信して出力している放送出力中にあって表示パネル部が開の状態から閉の状態に変化したことが検出された際には、放送内容の出力中断を指示し、表示パネル部が閉の状態から開の状態に変化したことが検出された際には、出力中断の解除を指示するようにしたから、表示パネル部の開閉状態に連動した自動制御が可能となる。
【００１５】
請求項５記載の発明によれば、上述した請求項１記載の発明と同様の効果を有するほか、再生開始位置を特定するための所定時間をユーザ操作によって任意に設定するようにしたから、中断個所の少し前から再生する場合に、どの位前から再生させるかをユーザが任意に設定することができる。
【００１６】
請求項６記載の発明（第２の発明）によれば、テレビ放送を受信して出力している放送出力中にあって表示パネル部が開の状態から閉の状態に変化したことが検出された際に、受信した放送内容の出力を停止すると共に、この出力停止以降に受信した放送内容を逐次記録し、放送記録中にあって表示パネル部が閉の状態から開の状態に変化したことが検出された際には、記録された放送内容を再生出力するようにしたから、表示パネル部を開閉させるだけで、受信したテレビ放送の内容を逐次記録したり、この記録内容を再生出力することができる。つまり、表示パネル部を開けた際に、記録中であれば、その記録中の放送内容を未再生部分から直ちに再生出力することができ、記録中に表示パネル部を開けたということは、その記録内容を視聴したいという要望の表れであり、極めて自然な操作で記録内容を順次視聴することが可能となる。
【発明を実施するための最良の形態】
【００１７】
以下、図１〜図６を参照して本発明の実施例を説明する。
この実施例は、ＴＶ（テレビ）機能付き携帯端末装置として携帯電話装置に適用した場合を例示したもので、図１は、テレビ機能付き携帯電話装置の基本的な構成要素を示したブロック図である。
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図４に示す動作手順に応じて本実施例を実現するためのプログラムが格納されている。記録メディア３は、着脱自在な可搬型メモリで、撮影画像データ、スケジュール情報などが書き込まれたり、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００１８】
電話通信部５は、アンテナ６に接続された送受信デュプレクサの受信側から信号を取り込んで受信ベースバンド信号に復調した後に、音声データ、映像データとして出力し、映像データは、映像出力部７を介してＬＥＤ（液晶表示器）などのディスプレイ装置８に表示され、また、音声データは、音声出力部９、アンプ１０を介して内蔵スピーカ１１から音声出力される。また、電話通信部５は、マイクロフォン（図示せず）から入力された音声データを送信ベースバンド信号に符号化した後に、送受信デュプレクサの送信側に与えられ、アンテナ６から発信出力される。
【００１９】
テレビ受信部１２は、ＴＶアンテナ１３を備え、例えば、携帯電話などの携帯受信機向けの地上波デジタルテレビ放送を受信するもので、テレビ映像及び音声情報以外にも電子番組表(ＥＰＧ)なども含めて受信可能であると共に、双方向の通信サービスも利用可能となっている。そして、テレビ受信部１２は、専用ＣＰＵ、ＴＶアンテナ１３に接続されている受信部と、受信したテレビ放送を映像信号、音声信号に分離する増幅分離部、圧縮データを解凍するデコード部などを有する構成となっており、このテレビ受信部１２から出力されたテレビ映像信号は、映像出力部７を介してディスプレイ装置８に表示され、また、テレビ音声信号は、音声出力部９、アンプ１０を介して内蔵スピーカ１１から発生出力される。音声出力部９には、内蔵スピーカ１１が接続されているほかに、アンプ１４を介してイヤホーン１５が接続されており、イヤホーン１５がそのジャック部１６に差し込まれた際には、内蔵スピーカ１１に代えてテレビ放送の音声情報をイヤホーン１５から出力するようにしている。
【００２０】
キー操作部１７は、押しボタン式の各種のキーを備え、ダイヤル入力、文字入力、コマンド入力などを行うもので、キー操作部１７には、例えば、動作モード(メールモード、テレビ受信モードなど)に切り換えるモードキーと、テレビ受信を終了させるテレビ終了キー、テレビ放送の録画（録音を含む）を指示する録画キーなどを有している。
録画部１８は、テレビ放送内容を録画する大容量の半導体メモリあるいは小型ハードディスクなどを有する構成で、例えば、最大５〜６分程度の録画が可能となっている。なお、放送内容の録画とは、映像情報の録画に限らず、それに付加されている音声情報の録音を含むことを意味している。
【００２１】
開閉検出部１９は、折り畳み型の装置本体の開閉状態をデジタルタイプのホール素子などを使用して検出するもので、図２（Ａ）は、装置本体を開いたオープン状態を示し、図２（Ｂ）は、装置本体を閉じたクローズ状態を示している。この場合、オープン状態では、ディスプレイ装置８を構成する表示パネル部８Ａの内容を見ることができる「表示開」の状態となり、クローズ状態では、表示パネル部８Ａは覆い隠されてその内容を見ることができない「表示閉」の状態となる。装置本体を開いたオープン状態でテレビ受信部１２が起動されると、選択チャンネルの放送内容は表示パネル部８Ａに表示出力される。
【００２２】
ここで、テレビ放送の内容が表示パネル部８Ａに表示されている放送出力中においてＣＰＵ１は、この放送内容（映像情報・音声情報）を録画部１８に逐次録画させる。この場合、ＣＰＵ1は、所定時間（例えば、５秒）分の最新の放送内容を録画するようにしている。つまり、録音時間を短くするために５秒分の最新の放送内容を録画し、それ以前の録画内容は消去するようにしている。このような放送出力中に装置本体が閉じられてクローズ状態になると、現在視聴中の放送内容の出力（映像出力・音声出力）を一時停止させると共に、録画部１８には中断中の放送内容が引き続いて逐次録音される。この場合、中断前の所定時間分の放送内容に引き続いて中断中に受信した全ての放送内容を逐次録画するようにしている。そして、この中断録画中において装置本体が開かれると、録画部１８の記録内容のうち、この中断個所から所定時間（例えば、５秒）分、遡った個所を再生開始位置とし、この位置から放送内容を順次再生するようにしている。この再生中にあっても中断解除後に受信した全ての放送内容を逐次録画するようにしている。
【００２３】
図３は、テレビ放送のチャンネル「８」を選択してその番組内容が表示パネル部８Ａ上に表示されているＴＶ画面であり、（Ａ）は、通信の状態（受信出力・録画中の状態）を示したＴＶ画面を示し、（Ｂ）は、テレビ放送の出力中断が解除された直後の状態（再生・録画中の状態）を示したテレビ画面であり、（Ｃ）は、出力中断が解除された後にその再生位置が録画位置に追い着いた場合に通信の状態（受信出力・録画中の状態）に戻されたＴＶ画面である。なお。図３（Ａ）〜（Ｃ）に示すようにＴＶ画面のメッセージ部には、その状態を示す「ＴＶ受信出力  ８ＣＨ」あるいは「再生／録画  ８ＣＨ」が表示されている。
【００２４】
次ぎに、この実施例における携帯電話装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２５】
図４は、ＴＶアプリケーションの起動に伴って実行開始されるフローチャートであり、キー操作部１７上のモードキーによって「テレビ受信モード」が選択指定された際に実行開始される。図５及び図６は、ＴＶアプリケーションの起動に伴って実行されるテレビ放送の録画、再生状況を具体的に説明するための図である。
先ず、ＣＰＵ1は、ＴＶアプリケーションが起動されると、装置本体を開いたオープン状態、つまり、表示パネル部８Ａの内容を見ることができる「表示開の状態」において、表示パネル部８ＡにＴＶ画面枠を表示させる（ステップＳ１）。この場合、ＴＶ画面枠内にはＴＶ操作用の各種の操作ボタンが配置表示されており、チャンネル選択用のボタン操作によって所望するチャンネルが選択指定されると（ステップＳ２）、テレビ受信部１２から指定チャンネルの放送内容を取得し（ステップＳ３）、この放送内容の出力（映像表示・音声出力）を開始させる（ステップＳ４）。
【００２６】
そして、図５（Ａ）に示すように録画領域上の書き込みアドレス、読み出しアドレスである「録画位置アドレス」、「再生位置アドレス」をそれぞれリセットする初期化処理を実行する（ステップＳ５）。この状態において、受信した放送内容の出力に合わせて当該放送内容を録画部１８に書き込む録画動作を開始する（ステップＳ６）。この場合、受信した放送内容が録画部１８に書き込まれる毎に、録画位置アドレスは、録画動作に連動して順次更新される。なお、録画部１８には、映像情報と共に音声情報が書き込まれる。
【００２７】
このようなテレビ放送出力中にその出力を中断する状況になったか、つまり、装置本体が閉じられたか、あるいは通話着信があったかをチェックする。すなわち、装置本体を閉じることによって表示パネル部８Ａが覆い隠されてその内容を見ることができない「表示閉」の状態に変更されたかをチェックすると共に（ステップＳ７）、通話着信の有無をチェックする（ステップＳ８、Ｓ９）。ここで、テレビ放送の出力を中断する状況になければ、つまり、「表示開」のオープン状態のままであったり、着信が無かったり、着信が有ってもメール着信の場合には（ステップＳ７〜Ｓ９でＮＯ）、テレビ終了操作の有無をチェックする（ステップＳ１０）。いま、テレビ終了の操作無しを検出すると、ステップＳ１１に移り、録画位置アドレスと再生位置アドレスとの差に相当する録画量が５秒以上となったかをチェックする。
【００２８】
いま、再生位置アドレスは、リセット位置の初期状態で固定されたままとなっているため、録画を開始してからの録画時間が５秒未満であれば、上述のステップＳ７に戻るが、録画時間が５秒以上であれば（ステップＳ１１でＹＥＳ）、録画位置アドレスの更新に追随しながら再生位置アドレスを逐次更新させる（ステップＳ１２）。すなわち、録画位置アドレスと再生位置アドレスとの差が５秒となるように録画位置アドレスの更新に応じて再生位置アドレスを更新した後、上述のステップＳ７に戻る。図５（Ｂ）は、録画開始から５秒経過した時点を示し、それ以降、再生位置アドレスは、録画位置アドレスの更新に追随しながら逐次移動するようになる。図５（Ｃ）は、録画開始から１０秒経過、（Ｄ）は、２０秒経過した時点を示している。なお、録画位置アドレスと再生位置アドレスとの間を除き、それ以外の録画内容は再生位置アドレスの更新に伴って消去される。
【００２９】
図５（Ｅ）は、装置本体を開いたオープン状態から「表示閉」のクローズ状態に変更された場合であり、「表示閉」のクローズ操作が開閉検出部１９によって検出されると、現在視聴しているテレビ放送の出力（映像表示・音声出力）を一時停止すると共に（ステップＳ１３）、再生位置アドレスの逐次更新を停止して現在位置に固定させる（ステップＳ１４）。この場合、放送内容の録画と共に録画位置アドレスの逐次更新はテレビ放送の出力中断中であってもそのまま継続されるので、図５（Ｆ）に示すように、中断前に録画した５秒分の放送内容に引き続いて中断中に受信した放送内容が追加録画される。
【００３０】
この状態において、装置本体を閉じたクローズ状態から「表示開」のオープン状態に変更されると（ステップＳ１５でＹＥＳ）、再生位置アドレスからその録画内容を読み出して再生出力（映像表示・音声出力）させる（ステップＳ１６）。ここで、早送り再生が指示つれたり、コマーシャルスキップ再生などが指示されると、それに応じた再生処理を実行するが、この録画再生に応じて再生位置アドレスの更新が行われる（ステップＳ１７）。この再生中においても受信した放送内容が追加録画されると共に、それに応じて録画位置アドレスの更新が行われる。図５（Ｇ）、（Ｈ）は、「表示閉」のクローズ状態から「表示開」のオープン状態に変更された場合であり、出力中断中には固定されていた再生位置アドレスは、「表示開」に伴って移動するようになる。
【００３１】
ここで、早送り再生、コマーシャルスキップ再生が実行されると、録画位置アドレスの更新速度に対して再生位置アドレスの更新速度の方が早くなり、再生位置アドレスが録画位置アドレスに追い着くようになる。つまり、両アドレスが一致するようになる。図５（Ｉ）〜（Ｌ）は、再生位置アドレスが録画位置アドレスに追い着くまでの過程を示したもので、両アドレスが一致すると（ステップＳ１８でＹＥＳ）、録画再生動作を終了させると共に（ステップＳ１９）、受信した放送内容の出力を再開させる（ステップＳ２０）。その後、ステップＳ１１に戻り、上述の動作が繰り返される。この場合においても、受信した放送内容が録画されると共に録画位置アドレスが更新されるので、両アドレスが一致してから５秒経過すると、録画位置アドレスの更新に追随して再生位置アドレスの更新が行われる（ステップＳ１２）。図５（Ｍ）は、両アドレスが一致してから５秒が経過した時点を示している。
【００３２】
一方、テレビ放送の出力中に通話着信を検出した場合には（ステップＳ９でＹＥＳ）、現在視聴しているテレビ放送の出力（映像表示・音声出力）を一時停止すると共に（ステップＳ１３）、再生位置アドレスの逐次更新を停止して現在位置に固定させる（ステップＳ１４）。なお、上述の場合と同様、テレビ放送の出力中断中であっても、録画と共に録画位置アドレスの更新が行われるので、中断前に録画した放送内容に引き続いて中断中の放送内容が追加録画される。ここで、通話終了が検出されると（ステップＳ１５でＹＥＳ）、再生位置アドレスからその録画内容を読み出して再生出力（映像表示・音声出力）させる（ステップＳ１６）。以下、上述の場合と同様の動作が行われる。なお、テレビ終了操作を検出すると（ステップＳ１０でＹＥＳ）、テレビ受信動作を終了すると共に（ステップＳ２１）、録画動作を終了した後に（ステップＳ２２）、メインフローの待受けモード（図示せず）に戻る。
【００３３】
以上のように、この実施例においてＣＰＵ1は、テレビ受信部１２からの放送内容の出力中に、出力中断が指示された際には、つまり、表示パネル８Ａを開から閉に変更された際あるいは通話着信を検出した際には、受信した放送内容の出力を一時停止すると共に、受信したテレビ放送の内容を録画部１８に引き続いて逐次記録し、この出力中断が解除された際には、この中断個所から５秒分遡った個所を再生開始位置とし、この位置から放送内容を順次読み出して再生出力するようにしたから、テレビ放送の出力中はその放送内容を逐次録画するほか、テレビ放送の出力が中断されても中断中の放送内容を引き続いて記録することができ、中断が解除された際には、中断個所の少し前から放送内容を再生することができ、中断前の放送内容を確認しながら中断中の放送内容を順次視聴することが可能となる。
【００３４】
この場合、録画位置アドレスの更新に応じて５秒の差をもって更新される再生位置アドレスを設け、テレビ放送の出力中断が指示された際には、中断指示された位置に再生位置アドレスを固定したまま録画位置アドレスを放送内容の逐次録画に応じて更新し、出力中断が解除された際には、再生位置アドレスを開始位置として再生動作を行うようにしたから、簡単なアドレス管理によって放送内容の記録、再生を制御することができる。この場合、出力中断中を除き、５秒分の最新の放送内容を録画するだけでよく、録画時間を短くすることができる。
【００３５】
また、ＣＰＵ1は、出力中断の解除に応答して再生動作を開始した後、再生位置アドレスと録画位置アドレスとを比較することによって再生位置アドレスが録画位置アドレスに追い着いたか否かを判別し、例えば、早送り再生あるいはコマーシャルスキップ再生などによって再生位置が録画位置に追い着いた際には、再生動作に代わって受信した放送内容を逐次出力する動作に切り換えるようにしたから、放送内容の連続性を損なうことなく、円滑な切り換えが可能となる。
【００３６】
一方、テレビ放送を受信して出力している放送出力中にあって表示パネル部８Ａが開の状態から閉の状態に変化された際に、受信した放送内容の出力を一時停止すると共に、出力停止以降に受信した放送内容を逐次録画し、放送録画中にあって表示パネル部８Ａが閉の状態から開の状態に変化したことが検出された際には、録画された放送内容を再生出力するようにしたから、表示パネル部８Ａの開閉状態に連動した自動制御が可能となる。この場合、表示パネル部８Ａを開閉させるだけで、受信したテレビ放送の内容を逐次録画したり、この録画内容を再生出力することができる。つまり、表示パネル部８Ａを開けた際に、録画中であれば、その録画中の放送内容を未再生部分から直ちに再生出力することができ、録画中に表示パネル部８Ａを開けたということは、その録画内容を視聴したいという要望の表れであり、極めて自然な操作で放送内容を順次視聴することが可能となる。
【００３７】
なお、上述した実施例においては、中断個所の少し前から再生可能とするために、中断５秒前としたが、この時間は、３秒、１０秒、など任意であり、また、その時間をどの位にするかをユーザが任意に設定可能としてもよい。
また、中断個所から少し前までの出力済みの放送内容を再生する場合には、その旨をメッセージ表示したり、標準の再生速度に対して1.2倍程度の早送りで当該部分を自動再生するようにしてもよい。また、放送内容は、音声情報付きの映像情報に限らず、聴覚障害者向けのテレビ放送のように音声情報に代わって字幕情報が付加されている字幕付きの映像情報であってもよい。
【００３８】
また、中断可能な最大時間を設定しておき、この最大時間が経過しても中断が解除されない場合には、アラーム報知、バイブレーション報知するようにしてもよい。
上述した実施例においては、表示パネル８Ａを開から閉に変更された場合あるいは通話着信を検出した場合に、テレビ放送の出力中断を指示するようにしたが、発信通話時、ダイヤル入力時、一時中断時など、所定のキーが操作された際に、テレビ放送の出力中断を指示するようにしてもよい。
【００３９】
上述した実施例においては、装置本体を折り畳み型とした携帯電話装置を例示したが、折り畳み型に限らず、上部筐体と下部筐体とをスライド可能に取り付け、上部筐体をスライドさせて下部筐体側の表示パネルを開くようにしたスライド型の携帯電話装置であってもよい。また、上部筐体と下部筐体とを回転可能に取り付け、上部筐体を回転させて下部筐体側の表示パネルを開くようにした回転型の携帯電話装置であってもよい。更に、折り畳み型と回転型とを組み合わせた２軸回転型の携帯電話装置であってもよい。
その他、テレビ機能付き携帯電話装置に適用した場合を示したが、テレビ機能付き電子腕時計・ＰＤＡ・電子カメラ・音楽再生機などであってもよい。
【００４０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、受信したテレビ放送の内容を逐次記録する機能と、テレビ放送の出力中断が指示された際に、受信した放送内容の出力を一時停止する機能と、前記出力中断が解除された際に、前記記録されている放送内容のうち、当該中断個所から所定時間分遡った個所を再生開始位置とし、この位置から放送内容を順次読み出して再生出力する機能とを実現させるためのプログラムを記録したコンピュータが読み取り可能な記録媒体を提供するようにしてもよい。
【００４１】
また、コンピュータが読み取り可能なプログラムコードを有する記録媒体であって、テレビ放送の内容を表示する表示パネル部の開閉状態として、表示パネル部を見ることができる開の状態と表示パネル部が覆い隠される閉の状態を検出する機能と、テレビ放送を受信して出力している放送出力中にあって前記表示パネル部が開の状態から閉の状態に変化したことが検出された際に、受信した放送内容の出力を停止する機能と、この出力停止以降に受信した放送内容を逐次記録する機能と、放送記録中にあって前記表示パネル部が閉の状態から開の状態に変化したことが検出された際には、前記記録されている放送内容を再生出力する機能とを実現させるためのプログラムを記録したコンピュータが読み取り可能な記録媒体を提供するようにしてもよい。
【図面の簡単な説明】
【００４２】
【図１】携帯端末装置として適用したテレビ機能付き携帯電話装置の基本的な構成要素を示したブロック図。
【図２】折り畳み型の装置本体の開閉状態を示した外観図で、（Ａ）は、装置本体を開いたオープン状態、（Ｂ）は、装置本体を閉じたクローズ状態を示した図。
【図３】（Ａ）、（Ｂ）、（Ｃ）は、テレビ放送の選択チャンネルの番組内容が表示パネル部８Ａ上に表示されているＴＶ画面を示した図。
【図４】キー操作部１７上のモードキーによって「テレビ受信モード」が選択指定された際に起動されるＴＶアプリケーションに応じた動作を示したフローチャート。
【図５】ＴＶアプリケーションの起動に伴って実行されるテレビ放送の録画、再生状況を具体的に説明するための図。
【図６】図５に続き、録画、再生状況を具体的に説明するための図。
【符号の説明】
【００４３】
１  ＣＰＵ
２  記憶部
４  メモリ
５  電話通信部
７  映像出力部
８  ディスプレイ装置
８Ａ  表示パネル部
９  音声出力部
１１  内蔵スピーカ
１２  テレビ受信部
１７  キー操作部
１８  録画部
１９  開閉検出部
【図１】
2006339932.tif 000003
【図２】
2006339932.tif 000004
【図３】
2006339932.tif 000005
【図４】
2006339932.tif 000006
【図５】
2006339932.tif 000007
【図６】
2006339932.tif 000008